(57)【要約】【課題】  記録速度を高速化してもウォブル信号を正確に抽出する。【解決手段】  ウォブル信号抽出回路２Ａは、既に抽出されたウォブル信号と周期が同一の正弦信号（ＳＳａ、ＳＳｂ）を生成する正弦信号生成回路７と、光ディスクに記録すべき情報に応じた記録パターン信号（ＳＰ）を用いて正弦信号（ＳＳａ、ＳＳｂ）を変調する変調回路８Ａと、記録パターン信号（ＳＰ）にて記録中の読出信号（ＳＲａ１、ＳＲｂ１）に含まれる記録パターン信号成分を、変調された正弦信号（ＳＷａ、ＳＷｂ）を用いてキャンセルする減算器１３ａ、１３ｂと、キャンセルされた読出信号からウォブル信号を抽出するバンドパスフィルタ５及び比較器６とを備える。【選択図】  図１
2006185507.tif 000002
【特許請求の範囲】
【請求項１】
光ディスクへの情報の記録中に、当該光ディスクからの反射光が光電変換されてなる読出信号からウォブル信号を抽出するウォブル信号抽出装置であって、
既に抽出されたウォブル信号と周期が同一の正弦信号を生成する生成手段と、
レーザ光の照射パターンを示すパターン信号を用いて前記正弦信号を変調する変調手段と、
前記パターン信号に従って光ディスクにレーザ光が照射されたときの読出信号に含まれるパターン信号成分を、前記変調された正弦信号を用いてキャンセルするキャンセル手段と、
前記読出信号から前記パターン信号成分がキャンセルされて得られた信号からウォブル信号を抽出する抽出手段と
を備えることを特徴とするウォブル信号抽出装置。
【請求項２】
前記変調手段は、
前記パターン信号及び前記正弦信号が入力され、これらを乗算した結果の乗算信号を出力する乗算回路と、
前記乗算信号に所定の増幅及び所定の遅延を施す調整回路と
を備えることを特徴とする請求項１に記載のウォブル信号抽出装置。
【請求項３】
前記光ディスクは、レーザの発光強度の強弱によりピットの形成及び消去がなされ、
前記調整回路は、増幅率が可変であり、光ディスクにピットを形成するためのレーザ発光強度が強くなるほど前記増幅率が大きくなるように指定されること
を特徴とする請求項２に記載のウォブル信号抽出装置。
【請求項４】
前記調整回路は、増幅率が可変であり、レーザの照射により光ディスクに形成されるピットパターン長に応じて前記増幅率が指定されること
を特徴とする請求項２に記載のウォブル信号抽出装置。
【請求項５】
前記調整回路は、遅延時間が可変であり、光ディスクに情報が記録される記録速度が速くなるほど前記遅延時間が短くなるように指定されること
を特徴とする請求項２に記載のウォブル信号抽出装置。
【請求項６】
前記調整回路は、遅延時間が可変であり、レーザの照射により光ディスクに形成されるピットパターン長に応じて前記遅延時間が指定されること
を特徴とする請求項２に記載のウォブル信号抽出装置。
【請求項７】
光ディスクへの情報の記録中に当該光ディスクからの反射光が光ディスクの径方向に二分割されてそれぞれ光電変換されてなる第１及び第２読出信号からウォブル信号を抽出するウォブル信号抽出装置であって、
既に抽出されたウォブル信号と周期が同一の第１正弦信号及び当該第１正弦信号の反転信号である第２正弦信号を生成する生成手段と、
レーザ光の照射パターンを示すパターン信号を用いて前記第１及び第２正弦信号を変調する変調手段と、
前記パターン信号に従って光ディスクにレーザ光が照射されたときの第１及び第２読出信号に含まれるパターン信号成分を、前記変調された第１及び第２正弦信号を用いてキャンセルするキャンセル手段と、
前記第１及び第２読出信号から前記パターン信号成分がキャンセルされて得られた各信号の差分信号からウォブル信号を抽出する抽出手段と
を備えることを特徴とするウォブル信号抽出装置。
【請求項８】
光ディスクに記録された情報の再生中に当該光ディスクからの反射光が光電変換されてなる読出信号からウォブル信号を抽出するウォブル信号抽出装置であって、
既に抽出されたウォブル信号と周期が同一の正弦信号を生成する生成手段と、
光ディスクに形成されたピットパターンに応じたＲＦ信号を用いて前記正弦信号を変調する変調手段と、
再生中の読出信号に含まれるＲＦ信号成分を、前記変調された正弦信号を用いてキャンセルするキャンセル手段と、
前記読出信号から前記ＲＦ信号がキャンセルされて得られた信号からウォブル信号を抽出する抽出手段と
を備えることを特徴とするウォブル信号抽出装置。
【請求項９】
前記ウォブル信号抽出装置は、さらに、
光ディスクにピットパターンが形成されていなければ、前記キャンセル手段の動作を禁止する禁止手段を備えること
を特徴とする請求項８に記載のウォブル信号抽出装置。
【請求項１０】
光ディスクに記録された情報の再生中に当該光ディスクからの反射光が光ディスクの径方向に二分割されてそれぞれ光電変換されてなる第１及び第２読出信号からウォブル信号を抽出するウォブル信号抽出装置であって、
既に抽出されたウォブル信号と周期が同一の第１正弦信号及び当該第１正弦信号の反転信号である第２正弦信号を生成する生成手段と、
光ディスクに形成されたピットパターンに応じたＲＦ信号を用いて前記第１及び第２正弦信号を変調する変調手段と、
再生中の第１及び第２読出信号に含まれるＲＦ信号成分を、前記変調された第１及び第２正弦信号を用いてキャンセルするキャンセル手段と、
前記第１及び第２読出信号から前記ＲＦ信号成分がキャンセルされて得られた各信号の差分信号からウォブル信号を抽出する抽出手段と
を備えることを特徴とするウォブル信号抽出装置。
【請求項１１】
光ディスクに記録すべき情報に応じたパターン信号を生成するパターン生成手段と、
前記パターン信号に従って光ディスクにレーザ光を照射するレーザと、
前記レーザ光の光ディスクからの反射光が光電変換されてなる読出信号を生成する光検出器と、
既に抽出されたウォブル信号と周期が同一の正弦信号を生成する生成手段と、
前記パターン信号を用いて前記正弦信号を変調する変調手段と、
前記読出信号に含まれるパターン信号成分を、前記変調された正弦信号を用いてキャンセルするキャンセル手段と、
前記読出信号から前記パターン信号成分がキャンセルされて得られた信号からウォブル信号を抽出する抽出手段と
を備えることを特徴とする光ディスク装置。
【請求項１２】
前記変調回路は、
前記パターン信号及び前記正弦信号が入力され、これらを乗算した結果の乗算信号を出力する乗算回路と、
前記乗算信号に所定の増幅及び所定の遅延を施す調整回路とを備えること
を特徴とする請求項１１に記載の光ディスク装置。
【請求項１３】
前記光ディスクは、レーザの発光強度の強弱によりピットの形成及び消去がなされ、
前記調整回路は、増幅率が可変であり、
前記光ディスク装置は、さらに、
光ディスクにピットを形成するためのレーザ発光強度が強くなるほど増幅率が大きくなるように前記調整回路に指定する指定手段を備えること
を特徴とする請求項１２に記載の光ディスク装置。
【請求項１４】
前記調整回路は、増幅率が可変であり、
前記光ディスク装置は、さらに、
レーザの照射により光ディスクに形成されるピットパターン長に応じて前記調整回路に増幅率を指定する指定手段を備えること
を特徴とする請求項１２に記載の光ディスク装置。
【請求項１５】
前記調整回路は、遅延時間が可変であり、
前記光ディスク装置は、さらに、
光ディスクに情報が記録される記録速度が速くなるほど遅延時間が短くなるように前記調整回路に指定する指定手段を備えること
を特徴とする請求項１２に記載の光ディスク装置。
【請求項１６】
前記調整回路は、遅延時間が可変であり、
前記光ディスク装置は、さらに、
レーザの照射により光ディスクに形成されるピットパターン長に応じて前記調整回路に遅延時間を指定する指定手段を備えること
を特徴とする請求項１２に記載の光ディスク装置。
【請求項１７】
光ディスクにレーザ光を照射するレーザと、
光ディスクに形成されたピットパターンに応じてＲＦ信号を再生する再生信号処理手段と、
前記レーザ光の光ディスクからの反射光が光電変換されてなる読出信号を生成する光検出器と、
既に抽出されたウォブル信号と周期が同一の正弦信号を生成する生成手段と、
前記ＲＦ信号を用いて前記正弦信号を変調する変調手段と、
前記読出信号に含まれる前記ＲＦ信号成分を、前記変調された正弦信号を用いてキャンセルするキャンセル手段と、
前記読出信号から前記ＲＦ信号成分がキャンセルされて得られた信号からウォブル信号を抽出する抽出手段と
を備えることを特徴とする光ディスク装置。
【発明の詳細な説明】
【技術分野】
【０００１】
本発明は、光ディスク装置に組み込まれるウォブル信号抽出装置に関し、特に、記録速度の高速化に伴ってウォブル信号を正確に抽出できなくなる問題を解消する技術に関する。
【背景技術】
【０００２】
光ディスクには数種類の記録規格が存在するが、いずれの規格であってもそのトラックにはウォブリングと呼ばれる一定周期のうねりが形成されている点で共通している。例えば、DVD+R規格では、記録速度が１倍速のときに８１７ｋＨｚのウォブル信号が抽出されるようにトラックにウォブリングが形成されている。光ディスク装置は、ウォブル信号に基づいて、光ディスクに情報を記録するための記録クロックの生成、及びアドレス情報の取得を行う。したがって、光ディスクへの情報記録には、ウォブル信号の正確な抽出が必要となる。
【０００３】
図１４は、従来の光ディスク装置に係るウォブル信号抽出装置の構成を示す図である。
光検出器１は、受光領域１ａ及び１ｂを有し、各受光領域に入射された光ディスクからの反射光を光電変換して読出信号ＳＲａ及びＳＲｂを生成する。読出信号ＳＲａ及びＳＲｂは、それぞれ増幅器３ａ及び３ｂにて増幅された後、減算器４にて読出信号ＳＲａとＳＲｂとの差分信号ＳＲｃが生成される。差分信号ＳＲｃは、ウォブル信号の周波数を中心周波数とするバンドパスフィルタ５を通過し、比較器６にて二値化される。この二値化された矩形波がウォブル信号となる（特許文献１及び２参照）。
【０００４】
ところで、光ディスクへの記録において、光ディスク装置は、記録すべき情報に応じた記録パターン信号を生成する。レーザは、記録パターン信号に従って発光強度を変えることでピットの形成及び消去を行う。したがって、光ディスクへの情報の記録中には、読出信号ＳＲａ、ＳＲｂは、記録パターン信号に応じて信号レベルが異なることとなる。記録パターン信号は４．５ＭＨｚ程度であり、通常、読出信号に含まれる記録パターン信号成分はバンドパスフィルタ５により除去される。
【特許文献１】特開平５−１２８５６４号公報
【特許文献２】特開平６−２９０４６２号公報
【発明の開示】
【発明が解決しようとする課題】
【０００５】
現在DVD+ Rでは、記録速度が８倍速程度の製品が一般に市販されているが、さらなる高速化のニーズがある。しかし、記録速度を高速化すると、従来のウォブル信号抽出装置ではウォブル信号を正確に抽出することができないという問題が生じる。
すなわち、記録速度を高速化するほど、ピットを短時間で形成しなければならず、レーザの発光強度を強くする必要がある。そうすると、読出信号に含まれる記録パターン信号成分が大きくなり、バンドパスフィルタ５で減衰したとしてもなお一定量残留することとなる。その結果、ＳＮ比が悪くなり読出信号からウォブル信号が正確に抽出できない。
【０００６】
DVD+Rの場合、記録速度を例えば１２倍速以上にするとこの問題が露呈し始める。なお、記録速度の高速化に伴ってウォブル信号を正確に抽出できなくなる問題は、DVD+Rに限らず、DVD+RW、DVD-R、DVD-RW、DVD-RAM、CD-RW、BD-REなど他の規格においても共通する。
そこで、本発明は、記録速度を高速化してもウォブル信号を正確に抽出することができるウォブル信号抽出装置及び光ディスク装置を提供することを目的とする。
【課題を解決するための手段】
【０００７】
本発明に係るウォブル信号抽出装置は、光ディスクへの情報の記録中に、当該光ディスクからの反射光が光電変換されてなる読出信号からウォブル信号を抽出するウォブル信号抽出装置であって、既に抽出されたウォブル信号と周期が同一の正弦信号を生成する生成手段と、レーザ光の照射パターンを示すパターン信号を用いて前記正弦信号を変調する変調手段と、前記パターン信号に従って光ディスクにレーザ光が照射されたときの読出信号に含まれるパターン信号成分を、前記変調された正弦信号を用いてキャンセルするキャンセル手段と、前記読出信号から前記パターン信号成分がキャンセルされて得られた信号からウォブル信号を抽出する抽出手段とを備えることを特徴とする。
【発明の効果】
【０００８】
課題を解決するための手段に記載された構成によれば、ウォブル信号抽出装置は、読出信号からパターン信号成分をキャンセルした後にウォブル信号を抽出する。すなわち、読出信号に含まれるパターン信号成分が大きくても、ウォブル信号の抽出の際にはパターン信号成分はキャンセルされている。したがって、当該ウォブル信号抽出装置は、記録速度が高速化されても、ウォブル信号を正確に抽出することができる。
【０００９】
また、前記変調手段は、前記パターン信号及び前記正弦信号が入力され、これらを乗算した結果の乗算信号を出力する乗算回路と、前記乗算信号に所定の増幅及び所定の遅延を施す調整回路とを備えることとしてもよい。
上記構成によれば、光ディスクに記録すべき情報に応じたパターン信号を用いて正弦信号を変調することができる。
【００１０】
また、前記光ディスクは、レーザの発光強度の強弱によりピットの形成及び消去がなされ、前記調整回路は、増幅率が可変であり、光ディスクにピットを形成するためのレーザ発光強度が強くなるほど前記増幅率が大きくなるように指定されることとしてもよい。
光ディスクの記録方式には、CLV(Constant Linear Velocity)方式、ZCLV(Zoned Constant Linear Velocity)方式、CAV(Constant Angular Velocity)方式などがある。CLV方式は、光ディスクに情報を記録する記録速度が一定である。すなわち、単位長のピットを形成するためのレーザ照射時間は、光ディスクの内周から外周にわたり不変である。したがって、CLV方式の場合、ピットを形成するためのレーザ発光強度は不変である。
【００１１】
一方、ZCLV方式あるいはCAV方式は、光ディスクに情報を記録する記録速度が変化する。すなわち、例えばCAV方式であれば、光ディスクの内周から外周に向かうにつれて線速度が速くなる。したがって、ピットを形成するためのレーザ発光強度も内周から外周に向かうにつれて強くする必要がある。その結果、レーザ発光強度が徐々に強くなるに従って、読出信号に含まれるパターン信号成分も徐々に大きくなる。
【００１２】
上記構成によれば、ピットを形成するためのレーザ発光強度が強くなるほど乗算信号を増幅する増幅率が大きくなる。したがって、当該ウォブル信号抽出装置は、ピットを形成するためのレーザ発光強度が変化する場合であっても、パターン信号成分を読出信号からキャンセルすることができる。
なお、本明細書では「ピット」の用語は、記録される情報に応じてトラックの反射率が変異した領域を指す。すなわち、ピットには、相変化記録方式における記録マークも含まれる。
【００１３】
また、前記調整回路は、増幅率が可変であり、レーザの照射により光ディスクに形成されるピットパターン長に応じて前記増幅率が指定されることとしてもよい。
光ディスクに形成されるピットには、３Ｔから１１Ｔまで及び１４Ｔの全１０種類のピット長が存在する。ピット長が異なることはパターン信号の周波数が異なることを意味する。そのため、パターン信号の伝播特性の変化に伴い、読出信号に含まれるパターン信号成分の大きさが異なってくると考えられる。
【００１４】
上記構成によれば、ピット長に応じて増幅率が指定される。したがって、ピット長が異なることによるパターン信号成分の大きさの変動を考慮に入れて、当該パターン信号成分を読出信号からキャンセルすることができる。
また、前記調整回路は、遅延時間が可変であり、光ディスクに情報が記録される記録速度が速くなるほど前記遅延時間が短くなるように指定されることとしてもよい。
【００１５】
上述のように、光ディスクの記録方式がCLV方式であれば、記録速度は光ディスクの内周から外周にわたり一定である。一方、ZCLV方式あるいはCAV方式は、記録速度が変化する。例えばCAV方式であれば、光ディスクの内周から外周に向かうにつれて記録速度が速くなる。そのため、パターン信号の伝播特性が変化し、遅延時間が短くなると考えられる。
【００１６】
上記構成によれば、記録速度が速くなるほど遅延時間が短くなる。したがって、当該ウォブル抽出装置は、記録速度が変化する場合であっても、パターン信号成分を読出信号からキャンセルすることができる。
また、前記調整回路は、遅延時間が可変であり、レーザの照射により光ディスクに形成されるピットパターン長に応じて前記遅延時間が指定されることとしてもよい。
【００１７】
上述のように、光ディスクに形成されるピットには、３Ｔから１１Ｔまで及び１４Ｔの全１０種類のピット長が存在する。ピット長が異なることはパターン信号の周波数が異なることを意味する。そのため、パターン信号の伝播特性の変化に伴い、遅延時間が異なってくると考えられる。
上記構成によれば、ピット長に応じて遅延時間が指定される。したがって、ピット長が異なることによる遅延時間の変動を考慮に入れて、当該パターン信号成分を読出信号からキャンセルすることができる。
【００１８】
本発明に係るウォブル信号抽出装置は、光ディスクへの情報の記録中に当該光ディスクからの反射光が光ディスクの径方向に二分割されてそれぞれ光電変換されてなる第１及び第２読出信号からウォブル信号を抽出するウォブル信号抽出装置であって、既に抽出されたウォブル信号と周期が同一の第１正弦信号及び当該第１正弦信号の反転信号である第２正弦信号を生成する生成手段と、レーザ光の照射パターンを示すパターン信号を用いて前記第１及び第２正弦信号を変調する変調手段と、前記パターン信号に従って光ディスクにレーザ光が照射されたときの第１及び第２読出信号に含まれるパターン信号成分を、前記変調された第１及び第２正弦信号を用いてキャンセルするキャンセル手段と、前記第１及び第２読出信号から前記パターン信号成分がキャンセルされて得られた各信号の差分信号からウォブル信号を抽出する抽出手段とを備えることを特徴とする。
【００１９】
上記構成によれば、記録速度が速くなることに伴い読出信号に含まれるパターン信号成分が大きくなったとしても、ウォブル信号を正確に抽出することができる。さらに、差分信号を用いるので同相ノイズに対する耐性が強く、かつ、一方の読出信号のみからウォブル信号を抽出する場合に比べて信号レベルを向上させることができるという効果がある。
本発明に係るウォブル信号抽出装置は、光ディスクに記録された情報の再生中に当該光ディスクからの反射光が光電変換されてなる読出信号からウォブル信号を抽出するウォブル信号抽出装置であって、既に抽出されたウォブル信号と周期が同一の正弦信号を生成する生成手段と、光ディスクに形成されたピットパターンに応じたＲＦ信号を用いて前記正弦信号を変調する変調手段と、再生中の読出信号に含まれるＲＦ信号成分を、前記変調された正弦信号を用いてキャンセルするキャンセル手段と、前記読出信号から前記ＲＦ信号がキャンセルされて得られた信号からウォブル信号を抽出する抽出手段とを備えることを特徴とする。
【００２０】
ウォブル信号抽出装置は、記録時のみならず再生時にもウォブル信号を抽出する。再生時におけるレーザ発光強度は記録時に比べて格段に弱いため、記録時ほど問題は大きくないが、読出信号のＲＦ信号成分によりウォブル信号が劣化することがあり得る。
上記構成によれば、ウォブル信号を抽出する前に読出信号に含まれるＲＦ信号成分がキャンセルされる。したがって、当該ウォブル信号抽出装置は、再生速度が速くなることに伴い読出信号に含まれるＲＦ信号成分が大きくなったとしても、ウォブル信号を正確に抽出することができる。
【００２１】
また、前記ウォブル信号抽出装置は、さらに、光ディスクにピットパターンが形成されていなければ、前記キャンセル手段の動作を禁止する禁止手段を備えることとしてもよい。
トラックにピットが形成されていなければ、読出信号にＲＦ信号成分が含まれることはない。したがって、読出信号からＲＦ信号成分をキャンセルするキャンセル手段の動作は不要である。この場合にもキャンセル手段の動作を許可するとすれば、キャンセル手段の動作に起因するノイズが読出信号に重畳されるおそれがある。
【００２２】
上記構成によれば、トラックにピットが形成されていなければキャンセル手段の動作を積極的に禁止することにより、上記ノイズが読出信号に重畳されることを防止することができる。
本発明に係るウォブル信号抽出装置は、光ディスクに記録された情報の再生中に当該光ディスクからの反射光が光ディスクの径方向に二分割されてそれぞれ光電変換されてなる第１及び第２読出信号からウォブル信号を抽出するウォブル信号抽出装置であって、既に抽出されたウォブル信号と周期が同一の第１正弦信号及び当該第１正弦信号の反転信号である第２正弦信号を生成する生成手段と、光ディスクに形成されたピットパターンに応じたＲＦ信号を用いて前記第１及び第２正弦信号を変調する変調手段と、再生中の第１及び第２読出信号に含まれるＲＦ信号成分を、前記変調された第１及び第２正弦信号を用いてキャンセルするキャンセル手段と、前記第１及び第２読出信号から前記ＲＦ信号成分がキャンセルされて得られた各信号の差分信号からウォブル信号を抽出する抽出手段とを備えることを特徴とする。
【００２３】
上記構成によれば、再生速度が速くなることに伴い読出信号に含まれるＲＦ信号成分が大きくなったとしても、ウォブル信号を正確に抽出することができる。さらに、差分信号を用いるので同相ノイズに対する耐性が強く、かつ、一方の読出信号のみからウォブル信号を抽出する場合に比べて信号レベルを向上させることができるという効果がある。
本発明に係る光ディスク装置は、光ディスクに記録すべき情報に応じたパターン信号を生成するパターン生成手段と、前記パターン信号に従って光ディスクにレーザ光を照射するレーザと、前記レーザ光の光ディスクからの反射光が光電変換されてなる読出信号を生成する光検出器と、既に抽出されたウォブル信号と周期が同一の正弦信号を生成する生成手段と、前記パターン信号を用いて前記正弦信号を変調する変調手段と、前記読出信号に含まれるパターン信号成分を、前記変調された正弦信号を用いてキャンセルするキャンセル手段と、前記読出信号から前記パターン信号成分がキャンセルされて得られた信号からウォブル信号を抽出する抽出手段とを備えることを特徴とする。
【００２４】
上記構成によれば、上述のウォブル信号抽出装置と同様に、記録速度が速くなることに伴い読出信号に含まれるパターン信号成分が大きくなったとしても、ウォブル信号を正確に抽出することができる。
また、前記変調回路は、前記パターン信号及び前記正弦信号が入力され、これらを乗算した結果の乗算信号を出力する乗算回路と、前記乗算信号に所定の増幅及び所定の遅延を施す調整回路とを備えることとしてもよい。
【００２５】
上記構成によれば、光ディスクに記録すべき情報に応じたパターン信号を用いて正弦信号を変調することができる。
また、前記光ディスクは、レーザの発光強度の強弱によりピットの形成及び消去がなされ、前記調整回路は、増幅率が可変であり、前記光ディスク装置は、さらに、光ディスクにピットを形成するためのレーザ発光強度が強くなるほど増幅率が大きくなるように前記調整回路に指定する指定手段を備えることとしてもよい。
【００２６】
上記構成によれば、上述のウォブル信号抽出装置と同様に、ピットを形成するためのレーザ発光強度が変化する場合であっても、パターン信号成分を読出信号からキャンセルすることができる。
また、前記調整回路は、増幅率が可変であり、前記光ディスク装置は、さらに、レーザの照射により光ディスクに形成されるピットパターン長に応じて前記調整回路に増幅率を指定する指定手段を備えることとしてもよい。
【００２７】
上記構成によれば、上述のウォブル信号抽出装置と同様に、ピット長が異なることによるパターン信号成分の大きさの変動を考慮に入れて、当該パターン信号成分を読出信号からキャンセルすることができる。
また、前記調整回路は、遅延時間が可変であり、前記光ディスク装置は、さらに、光ディスクに情報が記録される記録速度が速くなるほど遅延時間が短くなるように前記調整回路に指定する指定手段を備えることとしてもよい。
【００２８】
上記構成によれば、上述のウォブル信号抽出装置と同様に、記録速度が変化する場合であっても、パターン信号成分を読出信号からキャンセルすることができる。
また、前記調整回路は、遅延時間が可変であり、前記光ディスク装置は、さらに、レーザの照射により光ディスクに形成されるピットパターン長に応じて前記調整回路に遅延時間を指定する指定手段を備えることとしてもよい。
【００２９】
上記構成によれば、上述のウォブル信号抽出装置と同様に、ピット長が異なることによる遅延時間の変動を考慮に入れて、当該パターン信号成分を読出信号からキャンセルすることができる。
本発明に係る光ディスク装置は、光ディスクにレーザ光を照射するレーザと、
光ディスクに形成されたピットパターンに応じてＲＦ信号を再生する再生信号処理手段と、前記レーザ光の光ディスクからの反射光が光電変換されてなる読出信号を生成する光検出器と、既に抽出されたウォブル信号と周期が同一の正弦信号を生成する生成手段と、前記ＲＦ信号を用いて前記正弦信号を変調する変調手段と、前記読出信号に含まれる前記ＲＦ信号成分を、前記変調された正弦信号を用いてキャンセルするキャンセル手段と、前記読出信号から前記ＲＦ信号成分がキャンセルされて得られた信号からウォブル信号を抽出する抽出手段とを備えることを特徴とする。
【００３０】
上記構成によれば、上述のウォブル信号抽出装置と同様に、再生速度が速くなることに伴い読出信号に含まれるＲＦ信号成分が大きくなったとしても、ウォブル信号を正確に抽出することができる。
【発明を実施するための最良の形態】
【００３１】
本発明を実施するための最良の形態を、図面を参照して詳細に説明する。
（実施の形態１）
＜光ディスク装置の構成＞
図１は、実施の形態１に係る光ディスク装置の構成を示す図である。
光ディスク装置は、光検出器１、ウォブル信号抽出回路２Ａ、ウォブル信号処理部６１、記録パターン生成部６２及びレーザ６３を備える。
【００３２】
記録パターン生成部６２は、光ディスク６４に記録すべき情報に応じた記録パターン信号ＳＰを生成する。説明を簡単にするために本実施の形態では、記録パターン信号ＳＰは、ハイレベルとローレベルとをとり得る矩形波の電圧信号とする。具体的には、記録パターン信号ＳＰとして、NRZI(None Return to Zero Inverted)信号を用いる。記録パターン生成部６２は、記録パターン信号ＳＰをレーザ６３及びウォブル信号抽出回路２Ａに供給する。
【００３３】
レーザ６３は、記録パターン信号ＳＰに従って光ディスク６４にレーザ光を照射する。本実施の形態では、記録パターン信号ＳＰがハイレベルのときにレーザの発光強度が「強」となり、記録パターン信号ＳＰがローレベルのときにレーザの発光強度が「弱」となるものとする。
光検出器１は、受光領域１ａ及び１ｂを有し、各受光領域に入射された光ディスクからの反射光を光電変換して読出信号ＳＲａ及びＳＲｂを生成する。
【００３４】
ウォブル信号抽出回路２Ａは、読出信号ＳＲａ及びＳＲｂからウォブル信号ＳＷを抽出する。
ウォブル信号処理部６１は、ウォブル信号ＳＷに基づいて記録同期信号ＣＬＫの生成及びアドレス情報の取得を行う。記録同期信号ＣＬＫは、記録パターン生成部６２が記録パターン信号ＳＰの同期をとるための信号である。
＜ウォブル信号抽出回路の構成＞
ウォブル信号抽出回路２Ａは、増幅器３ａ、３ｂ、減算器４、バンドパスフィルタ５、比較器６に加えて、正弦信号生成回路７、変調回路８Ａ、減算器１３ａ、１３ｂを備える。
【００３５】
正弦信号生成回路７は、ウォブル信号ＳＷを参照して当該ウォブル信号ＳＷと周期が同一の正弦信号ＳＳａと、当該正弦信号ＳＳａと位相が１８０度異なる正弦信号ＳＳｂとを生成する。すなわち、正弦信号ＳＳｂは正弦信号ＳＳａの反転信号となっている。正弦信号とは、厳密には一定周期のサイン波の信号を指すが、本実施の形態では実質的に一定周期であれば正弦信号と称することとする。
【００３６】
変調回路８Ａは、記録パターン信号ＳＰを用いて正弦信号ＳＳａ及び正弦信号ＳＳｂを変調する。これは、増幅器９、乗算器１０ａ、１０ｂ、増幅器１１ａ、１１ｂ、遅延器１２ａ、１２ｂからなる構成により実現される。記録パターン信号ＳＰは、正弦信号ＳＳａ、ＳＳｂと同程度のレベルとなるように増幅器９において調整される。乗算器１０ａは、記録パターン信号ＳＰ及び正弦信号ＳＳａが入力され、これらを乗算した結果の乗算信号を出力する。また、乗算器１０ｂは、記録パターン信号ＳＰ及び正弦信号ＳＳｂが入力され、これらを乗算した結果の乗算信号を出力する。
【００３７】
各乗算信号は、増幅器１１ａ、１１ｂ及び遅延器１２ａ、１２ｂでそれぞれ所定の増幅及び所定の遅延が施されて変調信号ＳＷａ、ＳＷｂとなる。なお、増幅器９の増幅率δ、増幅器１１ａ、１１ｂの増幅率γａ、γｂ、遅延器１２ａ、１２ｂの遅延時間Δｔａ、Δｔｂの調整方法については、後に説明する。
減算器１３ａ、１３ｂは、それぞれ光検出器１と減算器４との間に挿入されている。読出信号ＳＲａ１、ＳＲｂ１は、それぞれ減算器１３ａ、１３ｂにて変調信号ＳＷａ、ＳＷｂが差し引かれ、読出信号ＳＲａ２、ＳＲｂ２となる。その結果、減算器４は、読出信号ＳＲａ２と読出信号ＳＲｂ２との差分信号ＳＲｃを出力することとなる。バンドパスフィルタ５、比較器６については、従来技術と同様なので説明を省略する。
＜信号波形＞
上記構成の光ディスク装置内の各信号の波形について説明する。
【００３８】
図２は、光ディスク６４に形成されたトラックの平面図である。
トラック１５は、ウォブリングと呼ばれるうねりをもって形成されている。１６は、レーザ光のスポットである。スポットは、時間が経つにつれて位置Ｐ１、Ｐ２、Ｐ３へと順次移動する。レーザ光は、トラック１５に照射された分だけが反射して光検出器１にて受光される。光検出器１の受光領域１ａは、スポット１６とトラック１５とが重なった領域のうち右上がりのハッチングが施された部分の反射光を受光する。他方、受光領域１ｂは、右下がりのハッチングが施された部分の反射光を受光する。ウォブリングは正弦波状に形成されているため、レーザ光の発光強度が一定ならば、読出信号ＳＲａ、ＳＲｂも正弦信号となる。
【００３９】
図３は、記録パターン信号ＳＰ、読出信号ＳＲａ、ＳＲｂ、差分信号ＳＲｃの波形を示す図である。
記録パターン信号ＳＰは、チャネルクロックの周期をＴとして３Ｔから１１Ｔまで及び１４Ｔのいずれかをとり得る信号であるが、ここでは説明を簡単にするために固定長の信号として説明する。
【００４０】
上述したように、記録パターン信号ＳＰがハイレベルのときにレーザ光が「強」となり、記録パターン信号ＳＰがローレベルのときにレーザ光が「弱」となる。したがって、読出信号ＳＲａ、ＳＲｂは、記録パターン信号ＳＰがハイレベルのときに信号レベルが高くなり、記録パターン信号ＳＰがローレベルのときに信号レベルが低くなる。その結果、読出信号ＳＲａ、ＳＲｂにはウォブリングによる正弦信号以外に記録パターン信号成分が含まれることとなる。この記録パターン信号成分は、差分信号ＳＲｃでもキャンセルされない。
【００４１】
記録パターン信号成分は、後段のバンドパスフィルタ５により減衰すると考えられるが、記録パターン信号の周波数がウォブル信号の周波数に近い場合、あるいは、記録パターン信号成分が非常に大きい場合には、ＳＮ比が低下しウォブル信号の品質が低下する。例えば、DVD-R、DVD-RAM、DVD+Rの場合、ウォブル信号の周波数は、それぞれ、１４５ｋＨｚ、３１４ｋＨｚ、８１７ｋＨｚである。一方、記録パターン信号の周波数は４．５ＭＨｚである。すなわち、DVD+Rでは、ウォブル信号の周波数と記録パターン信号の周波数とが５倍程度しか離れていない。また、記録速度が８倍速、１６倍速と速くなるにつれて、レーザの発光強度を強くする必要がある。その結果、記録パターン信号が大きくなり、例えばDVD+RWではウォブル信号周波数と記録パターン信号の周波数とが近いことも相まって、１２倍速以上で問題が生じはじめている。
【００４２】
図４は、ウォブル信号ＳＷ、正弦信号ＳＳａ、ＳＳｂ、変調信号ＳＷａ、ＳＷｂの波形を示す図である。
ウォブル信号ＳＷは、ほぼ一定周期の矩形波である。
正弦信号ＳＳａは、ウォブル信号ＳＷと周期が同一の正弦波である。ここで、ウォブル信号の周期をωとすると、正弦信号ＳＳａは、以下の式で表される。
【００４３】
SSa=sin(ωt)+1
正弦信号ＳＳｂは、正弦信号ＳＳａの反転信号である。正弦信号ＳＳｂは、以下の式で表される。
SSb=sin(-ωt)+1
変調信号ＳＷａは、記録パターン信号ＳＰと正弦信号ＳＳａとの乗算結果である乗算信号が所定の増幅及び所定の遅延が施されてなる信号である。ここで、記録パターン信号ＳＰをＮＲＺＩとすると、変調信号ＳＷａは、以下の式で表される。
【００４４】
SWa=γa*[NRZI*δ[sin(ωt+Δta)+1]]
変調信号ＳＷｂは、記録パターン信号ＳＰと正弦信号ＳＳｂとの乗算結果である乗算信号が所定の増幅及び所定の遅延が施されてなる信号である。変調信号ＳＷｂは、以下の式で表される。
SWb=γb*[NRZI*δ[sin(-ωt+Δtb)+1]]
変調信号ＳＷａ、ＳＷｂは、読出信号ＳＲａ、ＳＲｂに含まれる記録パターン信号成分と同一波形となる。
【００４５】
図５は、読出信号ＳＲａ１、ＳＲｂ１、ＳＲａ２、ＳＲｂ２、差分信号ＳＲｃ、ウォブル信号ＳＷの波形を示す図である。
読出信号ＳＲａ１、ＳＲｂ１は、減算器１３ａ、１３ｂの上流側の読出信号であり、それぞれ記録パターン信号成分を含む。読出信号ＳＲａ１、ＳＲｂ１は、減算器１３ａ、１３ｂにより、それぞれ変調信号ＳＷａ、ＳＷｂが差し引かれる。
【００４６】
読出信号ＳＲａ２、ＳＲｂ２は、減算器１３ａ、１３ｂの下流側の読出信号である。これらは、読出信号ＳＲａ１、ＳＲｂ１に含まれる記録パターン信号成分がキャンセルされている。
差分信号ＳＲｃは、読出信号ＳＲａ２と読出信号ＳＲｂ２との差分信号である。
ウォブル信号ＳＷは、差分信号ＳＲｃから抽出される。差分信号ＳＲｃでは、記録パターン信号成分がキャンセルされているのでウォブル信号ＳＷの品質低下が回避される。
【００４７】
上述のように、本発明の特徴は、読出信号ＳＲａ１、ＳＲｂ１に含まれる記録パターン信号成分に相当する変調信号ＳＷａ、ＳＷｂを、読出信号ＳＲａ１、ＳＲｂ１から差し引くことで記録パターン信号成分をキャンセルすることである。記録パターン信号成分をキャンセルするためには、増幅率δ、γａ、γｂ、遅延時間Δｔａ、Δｔｂの各パラメータの調整が重要である。以下に、その調整方法を説明する。
＜各パラメータの調整方法＞
ここでは、光ディスクの内周及び外周で、レーザ発光強度及び記録速度が一定であるCLV方式を前提とする。
【００４８】
図６は、各パラメータを調整するための構成を示す図である。
ウォブル信号処理部６１は、ジッタ測定部６１１、最適値判定部６１２、ディレイ調整部６１３、ゲイン調整部６１４を備える。
ジッタ測定部６１１は、ウォブル信号ＳＷのジッタを測定する。ジッタとは、信号の時間的な揺らぎの量である。ウォブル信号ＳＷのジッタを測定することにより、ウォブル信号の品質を評価することができる。
【００４９】
最適値判定部６１２は、各パラメータが変えられてジッタが複数回測定されたとき、測定結果が最小となったときの各パラメータを最適値として判定する。
ディレイ調整部６１３は、最適値判定部６１２が最適値と判定した各パラメータのうち遅延時間を、それぞれ遅延器１２ａ、１２ｂの遅延時間Δｔａ、Δｔｂとして設定する。
ゲイン調整部６１４は、最適値判定部６１２が最適値と判定した各パラメータのうち増幅率を、それぞれ増幅器９、１１ａ、１１ｂの増幅率δ、γａ、γｂとして設定する。
【００５０】
すなわち、各パラメータは、試行錯誤の結果、ジッタが最小となるように定められる。なお、ジッタの測定結果から各パラメータを決定する方法は、様々なものが既に知られている。例えば、特開２００２−４２３４４には、パラメータをＸ及びＹとしたとき、ＸＹ平面を所定の割合で分割した各領域でジッタが最小になる領域を探し、さらに、その領域を小さく分割してジッタが最小になる領域を探すという工程を繰り返して最適なパラメータＸ及びＹの組み合わせを決定する方法が開示されている。
【００５１】
図７は、光ディスクへの記録処理の手順を示す図である。
まず、光ディスク装置は、レーザの発光強度を調整する（ステップＳ１）。通常、光ディスクに情報を記録する際には、記録に必要なレーザの発光強度を調整する。これを最適パワー制御（Optimum Power Control）という。最適パワー制御を行うための領域は、光ディスクの規格により定められている。例えば、DVD+Rでは、PCA(Power Calibration Area)と呼ばれる領域である。光ディスク装置は、PCAにて複数回テスト記録を行い、ディスク特性に応じてレーザ発光強度を調整する。
【００５２】
次に、光ディスク装置は、PCAにて各パラメータの決定を行う（ステップＳ２）。各パラメータは、レーザの発光強度に大きく依存すると考えられる。そこで、各パラメータの決定は、レーザの発光強度を確定する最適パワー制御が完了した後に行うのが好ましい。各パラメータの決定方法は、上述したとおり、ジッタの測定結果を用いて最適値を求める。
【００５３】
光ディスク装置は、各パラメータの最適値を、増幅器９、１１ａ、１１ｂ、遅延器１２ａ、１２ｂに設定する（ステップＳ３）。
その後、光ディスク装置は、光ディスクの記録領域に情報を記録する（ステップＳ４）。
（実施の形態２）
実施の形態１では、CLV方式を前提として各パラメータを決定する方法を説明した。光ディスクの記録方式には、CLV方式の他に、ZCLV(Zoned Constant Linear Velocity)方式、CAV(Constant Angular Velocity)方式などがある。ZCLV方式あるいはCAV方式は、光ディスクに情報を記録する記録速度が変化する。したがって、記録速度の変化に応じてレーザの発光強度が制御される。実施の形態２では、レーザの発光強度が変化する場合の各パラメータの調整方法を説明する。
【００５４】
＜各パラメータの調整方法＞
図８は、各パラメータを調整するための構成を示す図である。
ウォブル信号処理部６１は、ジッタ測定部６１１、最適値判定部６１２、ディレイ調整部６１３、ゲイン調整部６１４、記録速度抽出部６１５、発光強度レジスタ６１６を備える。
【００５５】
ジッタ測定部６１１及び最適値判定部６１２の構成は実施の形態１と同様なので説明を省略する。
記録速度抽出部６１５は、ウォブル信号ＳＷを用いて現在の記録速度を抽出して、抽出結果をディレイ調整部６１３に供給する。トラックにウォブリングが一定周期で形成されていれば、記録速度とウォブル信号の周期とは比例する。したがって、記録速度抽出部６１５は、ウォブル信号ＳＷの周期を測定することにより記録速度を抽出する。
【００５６】
各パラメータの初期値は、実施の形態１と同様にPCAへのテスト記録により決定される。ディレイ調整部６１３は、テスト記録時の記録速度と現在の記録速度との変位に応じて、後に説明するテーブルを用いて現在の記録速度に適した遅延時間Δｔａ、Δｔｂを求め、遅延器１２ａ、１２ｂに設定する。
発光強度レジスタ６１６は、現在のレーザの発光強度を記憶しており、その発光強度をゲイン調整部６１４に供給する。ゲイン調整部６１４は、テスト記録時のレーザの発光強度と現在の発光強度との変位に応じて、後に説明するテーブルを用いて現在の発光強度に適した増幅率δ、γａ、γｂを求め、増幅器９、１１ａ、１１ｂに設定する。
【００５７】
図９は、ディレイ調整部６１３が参照するテーブルを示す図である。
テーブル７０は、記録速度変位７１とディレイ係数７２とを対応づけている。
記録速度変位７１は、テスト記録時の記録速度に対する現在の記録速度の比である。例えば、記録速度変位「２．５」は、現在の記録速度がテスト記録時の記録速度の２．５倍であることを示す。
【００５８】
ディレイ係数７２は、テスト記録により定められた遅延時間（初期値）に対する現在の記録速度に適した遅延時間の比を示す。例えば、ディレイ係数「０．４００」は、初期値に対して現在の記録速度に適した遅延時間が０．４倍であることを示す。
本実施の形態では、記録速度変位７１とディレイ係数７２とは、反比例の関係になるように定められている。これは、記録速度が速くなるにつれて遅延時間は短くなると考えられるからである。したがって、光ディスク装置は、記録速度が変化した場合でも読出信号から記録パターン信号成分をキャンセルすることができる。
【００５９】
図１０は、ゲイン調整部６１４が参照するテーブルを示す図である。
テーブル８０は、発光強度変位８１とゲイン係数８２とを対応づけている。
発光強度変位８１は、テスト記録時のレーザ発光強度に対する現在のレーザ発光強度の比である。例えば、発光強度変位「２．５」は、現在の発光強度がテスト記録時の発光強度の２．５倍であることを示す。
【００６０】
ゲイン係数８２は、テスト記録により定められた増幅率（初期値）に対する現在のレーザ発光強度に適した増幅率の比を示す。例えば、ゲイン係数「２．５」は、初期値に対して現在の発光強度に適した増幅率が２．５倍であることを示す。
本実施の形態では、発光強度変位８１とゲイン係数８２とは、比例の関係になるように定められている。これは、レーザ発光強度が強くなるにつれて読出信号に含まれる記録パターン信号成分が大きくなると考えられるからである。これにより、光ディスク装置は、記録速度の変化に伴いレーザ発光強度が変化した場合でも読出信号から記録パターン信号成分をキャンセルすることができる。
（実施の形態３）
上述したとおり、光ディスクに形成されるピットには、３Ｔから１１Ｔまで及び１４Ｔの全１０種類のピット長が存在する。ピット長が異なることは記録パターン信号の周波数が異なることを意味する。そのため、記録パターン信号の伝播特性の変化に伴い、増幅率及び遅延時間が異なってくると考えられる。
【００６１】
実施の形態３では、記録パターン信号のパターン長を考慮したウォブル信号抽出回路について説明する。
＜構成＞
図１１は、実施の形態３に係る光ディスクの構成を示す図である。
実施の形態３に係る光ディスク装置は、記録パターン長判定部６５を備える。また、ウォブル信号抽出回路２Ｃは、実施の形態１に係る増幅器９、１１ａ、１１ｂ、遅延器１２ａ、１２ｂをそれぞれ増幅器群３１、３２ａ、３２ｂ、遅延器群３３ａ、３３ｂに置き換えた構成となっている。これ以外の構成については、実施の形態１と同様なので説明を省略する。
【００６２】
記録パターン長判定部６５は、記録パターン信号ＳＰのパターン長が３Ｔから１１Ｔまで及び１４Ｔのいずれであるかを判定し、判定結果Ｓｃをウォブル信号抽出回路２Ｃに供給する。
増幅器群３１は、増幅器δ３、δ４、δ５、・・・δ１４、及びセレクタからなり、各増幅器は各パターン長に応じた増幅率δ３、δ４、δ５、・・・δ１４が設定されている。パターン長に応じた増幅率は、実施の形態１で説明したテスト記録による決定方法を、パターン長毎に行うことで定めることができる。セレクタは、判定結果Ｓｃが示すパターン長に対応する増幅器からの信号を選択的に出力する。すなわち、増幅器群３１は、記録パターン信号ＳＰを、パターン長に応じた増幅率で増幅する。
【００６３】
増幅器群３２ａ、３２ｂも増幅器群３１と同様の構成であり、記録パターン信号ＳＰを、パターン長に応じた増幅率で増幅する。
遅延器群３３ａ、３３ｂも増幅器群３１と同様の構成であり、記録パターン信号ＳＰを、パターン長に応じた遅延時間だけ遅延させる。
上記構成により光ディスク装置は、記録パターン信号の伝播特性の変化に伴い増幅率及び遅延時間が異なっても、読出信号に含まれる記録パターン信号成分をキャンセルすることができる。
（実施の形態４）
ウォブル信号抽出装置は、記録時のみならず再生時にもウォブル信号を抽出する。再生時におけるレーザ発光強度は記録時に比べて格段に弱いため、記録時ほど問題は大きくないが、読出信号に含まれるＲＦ信号成分によりウォブル信号が劣化することがあり得る。
【００６４】
実施の形態４では、再生時において読出信号に含まれるＲＦ信号成分をキャンセルする技術について説明する。
＜光ディスク装置の構成＞
図１２は、実施の形態４に係る光ディスク装置の構成を示す図である。
光ディスク装置は、光検出器１、ウォブル信号抽出回路２Ｄ、ウォブル信号処理部６１、波形等化回路４１、再生信号処理回路４２、デコード処理部４３を備える。光検出器１、ウォブル信号処理部６１については実施の形態１と同様である。
【００６５】
波形等化回路４１は、読出信号ＳＲａ１、ＳＲｂ１の加算信号であるＲＦ信号（ＳＲｆ）に波形等化を施す。
再生信号処理回路４２は、波形等化後のＲＦ信号（ＳＡＲｆ）を二値化する。二値化されたＲＦ信号（ＳＤＲｆ）はデコード処理部４３及びウォブル信号抽出回路２Ｄに供給される。加えて、再生信号処理回路４２は、再生中のトラックが、ピットが形成されていない未記録領域であるか否かを判定し、その判定結果を示す記録領域判別信号ＳＲｆｅｎｖをウォブル信号抽出回路２Ｄに供給する。
＜ウォブル信号抽出回路の構成＞
ウォブル信号抽出回路２Ｄは、増幅器３ａ、３ｂ、減算器１３ａ、１３ｂ、減算器４、バンドパスフィルタ５、比較器６、正弦信号生成回路７、変調回路８Ａに加えて、スイッチ４４、遅延器４５ａ、４５ｂを備える。
【００６６】
変調回路８Ａは、記録パターン信号ＳＰの代わりにＲＦ信号（ＳＤＲｆ）が供給されている点において実施の形態１と異なるが、内部構成については実施の形態１と同様である。
遅延器４５ａ、４５ｂは、読出信号ＳＲａ１、ＳＲｂ１に所定の遅延を施す。これは、光検出器１からの読出信号ＳＲａ１、ＳＲｂ１が減算器１３ａ、１３ｂに到達する時間が、読出信号ＳＲａ１、ＳＲｂ１に基づく変調信号ＳＷａ、ＳＷｂが減算器１３ａ、１３ｂに到達する時間よりも短いからである。これらの時間差をなくすために遅延器４５ａ、４５ｂが設けられている。遅延器４５ａ、４５ｂにおける遅延時間は、予め定められていてもよいし、実施の形態１のようにジッタ測定に基づいて設定されてもよい。
【００６７】
スイッチ４４は、変調回路８Ａから減算器１３ａ、１３ｂまでの配線間に設けられ、記録領域判別信号ＳＲｆｅｎｖに従って、未記録領域でなければ回路を閉じ、未記録領域であれば回路を開く。未記録領域を再生するときには、読出信号ＳＲａ１、ＳＲｂ１にＲＦ信号成分が含まれることはない。このようなときにも減算器１３ａ、１３ｂに変調回路８Ａが接続されていれば、変調回路８Ａで発生する不測のノイズが読出信号ＳＲａ１、ＳＲｂ１に重畳されてしまうおそれがある。そこで、スイッチ４４により、未記録領域の再生時には減算器１３ａ、１３ｂと変調回路８Ａとの接続を切ることとしている。
＜各パラメータの調整方法＞
次に、再生中における各パラメータの調整方法について説明する。
【００６８】
再生時であっても、記録時と同様に、各パラメータはウォブル信号ＳＷのジッタ測定に基づいて決定する。記録時にはPCAにおいて最適パワー制御後に各パラメータの決定を行ったが、再生時には情報が記録されている領域であれば逐次調整が可能である。例えば、記録時におけるパラメータの決定後に、テスト記録された領域を再生してウォブル信号のジッタを測定し、その測定結果に基いて再生時におけるパラメータを決定してもよい。あるいは、すでに光ディスクに記録領域があり、その記録領域の位置がわかっているときには、その領域を再生することによりパラメータを決定してもよい。
【００６９】
また、再生速度が変化する場合には、記録時と異なり、レーザ発光強度が不変である。そのため、増幅率δ、γａ、γｂは、一定に保たれるべきである。他方、遅延時間は、再生速度が速くなるにつれて短く変化させるべきである。
以上、本発明に係る光ディスク装置及びウォブル信号抽出回路について、実施の形態に基づいて説明したが、本発明はこれらの実施の形態に限られない。例えば、以下のような変形例が考えられる。
（１）実施の形態では、変調信号ＳＷａ、ＳＷｂは減算器４の上流側で差し引かれているが、バンドパスフィルタ５の上流側であればどこで差し引かれてもかまわない。例えば、減算器１３ａ、１３ｂを減算器４とバンドパスフィルタ５との間に設けてもよい。あるいは、変調信号ＳＷａから変調信号ＳＷｂを差し引いた差分変調信号を、読出信号ＳＲｃから差し引いてもかまわない。
（２）実施の形態では、光ディスク毎にジッタの測定結果を用いて各パラメータを決定しているが、これに限る必要はない。例えば、各パラメータは予め定められているものとしてもよい。この場合、各パラメータの決定ステップを省略できるので、製品仕様を簡易化することができる。ただし、ディスク毎の微調整ができないので実施の形態で開示した方法に比べて、ウォブル信号の品質低下に対する回避効果が小さくなる場合がある。
（３）実施の形態では、レーザ発光強度と増幅率とが比例することとしているが、レーザ発光強度が強くなるほど増幅率が大きくなれば、これにかぎらない。同様に、実施の形態では、記録速度と遅延時間とが反比例することとしているが、記録速度が速くなるにつれて遅延時間が短くなれば、これにかぎらない。
（４）実施の形態では、記録パターン信号ＳＰとして単純な矩形波として説明しているが、現実のレーザの発光パターンは複雑な形状をしている。
【００７０】
図１３は、現実のレーザの発光パターンを示す図である。
SNrziは、NRZI信号である。
SNmtは、上記のNRZI信号に基づいてピットが形成されるときの非マルチパルスのレーザの発光パターンである。
SMtは、上記のNRZI信号に基づいてピットが形成されるときのマルチパルスのレーザの発光パターンである。
【００７１】
現実には、レーザはSNmtあるいはSMtにより発光するので、読出信号ＳＲａ１、ＳＲｂ１にはSNmtあるいはSMtの成分が含まれる。したがって、変調信号ＳＷａ、ＳＷｂを生成するに際し、記録パターン信号ＳＰとしてSNmtあるいはSMtを用いた方が好ましい。
【産業上の利用可能性】
【００７２】
本発明は、例えば、DVD+R/RW、DVD-R/RW、DVD-RAMまたは次世代光ディスクなど、ウォブリングが形成された光ディスクを記録再生する記録再生装置に利用することができる。
【図面の簡単な説明】
【００７３】
【図１】実施の形態１に係る光ディスク装置の構成を示す図である。
【図２】光ディスク６４に形成されたトラックの平面図である。
【図３】記録パターン信号ＳＰ、読出信号ＳＲａ、ＳＲｂ、差分信号ＳＲｃの波形を示す図である。
【図４】ウォブル信号ＳＷ、正弦信号ＳＳａ、ＳＳｂ、変調信号ＳＷａ、ＳＷｂの波形を示す図である。
【図５】読出信号ＳＲａ１、ＳＲｂ１、ＳＲａ２、ＳＲｂ２、差分信号ＳＲｃ、ウォブル信号ＳＷの波形を示す図である。
【図６】各パラメータを調整するための構成を示す図である。
【図７】光ディスクへの記録処理の手順を示す図である。
【図８】各パラメータを調整するための構成を示す図である。
【図９】ディレイ調整部６１３が参照するテーブルを示す図である。
【図１０】ゲイン調整部６１４が参照するテーブルを示す図である。
【図１１】実施の形態３に係る光ディスク装置の構成を示す図である。
【図１２】実施の形態４に係る光ディスク装置の構成を示す図である。
【図１３】現実のレーザの発光パターンを示す図である。
【図１４】従来のウォブル信号抽出装置の構成を示す図である。
【符号の説明】
【００７４】
１    光検出器
２    ウォブル信号抽出回路
３ａ、３ｂ  増幅器
４    減算器
５    バンドパスフィルタ
６    比較器
７    正弦信号生成回路
８    変調回路
９    増幅器
１０ａ、１０ｂ  乗算器
１１ａ、１１ｂ  増幅器
１２ａ、１２ｂ  遅延器
１３ａ、１３ｂ  減算器
３１    増幅器群
３２ａ、３２ｂ  増幅器群
３３ａ、３３ｂ  遅延器群
４４    スイッチ
４５ａ、４５ｂ  遅延器
６２    記録パターン生成部
６３    レーザ
６４    光ディスク
６５    記録パターン長判定部
８１    発光強度変位
６１１    ジッタ測定部
６１２    最適値判定部
６１３    ディレイ調整部
６１４    ゲイン調整部
６１５    記録速度抽出部
６１６    発光強度レジスタ
【図１】
2006185507.tif 000003
【図２】
2006185507.tif 000004
【図３】
2006185507.tif 000005
【図４】
2006185507.tif 000006
【図５】
2006185507.tif 000007
【図６】
2006185507.tif 000008
【図７】
2006185507.tif 000009
【図８】
2006185507.tif 000010
【図９】
2006185507.tif 000011
【図１０】
2006185507.tif 000012
【図１１】
2006185507.tif 000013
【図１２】
2006185507.tif 000014
【図１３】
2006185507.tif 000015
【図１４】
2006185507.tif 000016